(57)【要約】【課題】ゴルフマーカを確実に保持しておくことができるとともに、クリップの所定箇所にゴルフマーカを保持可能なゴルフマーカセットを提供する。【解決手段】第１磁石３を内蔵すると共に、少なくとも被接触面１ｂが磁性体により形成される円盤状のゴルフマーカＡと、このゴルフマーカＡと接触する接触面１３ａ側に配置される第２磁石１２が内蔵され、少なくとも被接触面１ｂと接触する接触面１３ａが磁性体により形成されるゴルフマーカ用クリップＢと、から構成される。好ましくは、第１磁石３と第２磁石１２とは、磁化の方向が対極となるように配置される。好ましくは、ゴルフマーカＡは、被接触面１ｂの中央部が凸となるような曲面に形成される。【選択図】図３
2008000439.tif 000002
【特許請求の範囲】
【請求項１】
第１磁石を内蔵すると共に、少なくとも被接触面が磁性体により形成される円盤状のゴルフマーカと、
このゴルフマーカと接触する接触面側に配置される第２磁石が内蔵され、少なくとも前記被接触面と接触する接触面が磁性体により形成されるゴルフマーカ用クリップと、から構成されることを特徴とするゴルフマーカセット。
【請求項２】
前記第１磁石と第２磁石とは、磁化の方向が対極となるように配置されることを特徴とする請求項１に記載のゴルフマーカセット。
【請求項３】
ゴルフマーカは、前記被接触面の中央部が凸となるような曲面に形成されることを特徴とする請求項１又は２に記載のゴルフマーカセット。
【請求項４】
前記曲面は、曲率半径Ｒが１５０ｍｍ〜２５０ｍｍであることを特徴とする請求項３に記載のゴルフマーカセット。
【請求項５】
前記第１磁石と第２磁石は、１．０Ｔ以上の飽和磁束密度を有するＮｄ−Ｆｅ−Ｂ系磁石であることを特徴とする請求項１〜４のいずれか１項に記載のゴルフマーカセット。
【発明の詳細な説明】
【技術分野】
【０００１】
本発明は、芝生（グリーン）の上に停止しているゴルフボールの代わりに載置されるゴルフマーカと、このゴルフマーカを磁石により保持するゴルフマーカ用クリップとから構成されるゴルフマーカセットに関する。
【背景技術】
【０００２】
かかるゴルフマーカとして、金属製で円盤状（コイン状）のものがよく使用されている。ゴルフプレーヤーは、ゴルフマーカを携帯して競技を行う必要があり、ゴルフマーカをゴルフマーカ用クリップ（以下、単にクリップということがある）に磁石により着脱自在に保持したゴルフマーカセットが利用されている（例えば、下記特許文献１，２）。クリップを帽子のひさしやズボンのベルトなどに取り付けておき、必要な時にクリップからゴルフマーカを外して使用することができる。ゴルフマーカをクリップに対して磁力により取り付けているため、簡単に着脱ができるという利点がある。
【０００３】
特許文献１に開示されるゴルフマーカセットは、円盤状のゴルフマーカを磁力によりクリップに吸引する構成であり、クリップは横長の楕円形を呈し、円盤状の磁石が２つ収容されている。ゴルフマーカは、被接触面が鉄製円板であり、表面側はアルミニウム円板により形成されている。
【０００４】
特許文献２に開示されるゴルフマーカセットは、第１の基体を有するクリップと、第２の基体を有するゴルフマーカを有しており、第１・第２の基体の一方が磁性体であり、第１・第２の基体の他方が逆極性の磁性体又は金属体により形成される。
【０００５】
【特許文献１】実用新案登録第３１０２０９０号
【特許文献２】実用新案登録第３１１０６３８号
【発明の開示】
【発明が解決しようとする課題】
【０００６】
しかしながら、これらのゴルフマーカセットは、ゴルフマーカをクリップに保持する保磁力が弱く、また、保持される位置も安定していなかった。すなわち、特許文献１はクリップ側にのみ磁石が配置されており、十分な保持力が得られておらず、特許文献２も磁性体により形成されるものであるため、同様に十分な保持力が得られない。従って、プレーヤーがゴルフ場の木々の中を通過する時に、ゴルフマーカが木々にこすれたりすると、ゴルフマーカがクリップから脱落する可能性があった。
【０００７】
本発明は上記実情に鑑みてなされたものであり、その課題は、ゴルフマーカを確実に保持しておくことができるとともに、クリップの所定箇所にゴルフマーカを保持可能なゴルフマーカセットを提供することである。
【課題を解決するための手段】
【０００８】
上記課題を解決するため本発明に係るゴルフマーカセットは、
第１磁石を内蔵すると共に、少なくとも被接触面が磁性体により形成される円盤状のゴルフマーカと、
このゴルフマーカと接触する接触面側に配置される第２磁石が内蔵され、少なくとも前記被接触面と接触する接触面が磁性体により形成されるゴルフマーカ用クリップと、から構成されることを特徴とするものである。
【０００９】
この構成によるゴルフマーカセットの作用・効果を説明する。このゴルフマーカセットは、ゴルフマーカとゴルフマーカ用クリップにより構成され、ゴルフマーカには第１磁石が内蔵され、クリップにも第２磁石が内蔵される。ゴルフマーカの被接触面は磁性体により形成され、この被接触面に接触するクリップの接触面も磁性体により形成されている。このように、ゴルフマーカとクリップの両方に磁石が内蔵されているため、両者を強固に取り付けることができ、不用意にゴルフマーカがクリップから脱落してしまうことがない。また、クリップの第２磁石が配置されている箇所にゴルフマーカを引き付けておくことができる。その結果、ゴルフマーカを確実に保持しておくことができるとともに、クリップの所定箇所にゴルフマーカを保持可能なゴルフマーカセットを提供することができる。
【００１０】
本発明に係る第１磁石と第２磁石とは、磁化の方向が対極となるように配置されることが好ましい。
【００１１】
磁化の方向を対極にしておくことにより、ゴルフマーカをクリップに対して強固に保持させることができる。
【００１２】
本発明に係るゴルフマーカは、前記被接触面の中央部が凸となるような曲面に形成されることが好ましい。
【００１３】
中央部を凸面にすることで、中央部にゴルフマーカを引き付けることができ、クリップの所定位置にゴルフマーカを安定して保持することができる。また、曲面にすることで、ゴルフマーカの着脱操作が行ないやすくなる。
【００１４】
本発明において、前記曲面は、曲率半径Ｒが１５０ｍｍ〜２５０ｍｍであることが好ましい。
【００１５】
かかる数値範囲に設定することで、より効果的に、クリップの所定位置にゴルフマーカを安定して保持することができ、ゴルフマーカの着脱操作が行ないやすくなる。
【００１６】
本発明に係る第１磁石と第２磁石は、１．０Ｔ以上の飽和磁束密度を有するＮｄ−Ｆｅ−Ｂ系磁石であることが好ましい。
【００１７】
かかる磁石を用いることで、磁石を薄くしても十分な吸引力を確保することができ、ゴルフマーカセットをコンパクトにすることができる。
【発明を実施するための最良の形態】
【００１８】
本発明に係るゴルフマーカセットの好適な実施形態を図面を用いて説明する。図１は、ゴルフマーカの構成を示す分解斜視図、図２はゴルフマーカ用クリップの構成を示す分解斜視図、図３は、クリップとゴルフマーカの構成を示す断面図、図４は、ゴルフマーカをクリップに装着した状態を示す外観斜視図、図５は、ゴルフマーカセットを帽子に取り付けた状態を示す図である。
【００１９】
＜構成＞
以下の説明において、図１の上下方向を便宜的にゴルフマーカセットの上下方向であるとして説明する。図３に示すように、本発明に係るゴルフマーカセットは、円盤状のゴルフマーカＡと、帽子のひさし、ズボンのベルト、衣服の襟などに取り付けられるフックが一体的に形成されているクリップＢにより構成されている。また、ゴルフマーカＡとクリップＢの双方に磁石を内蔵させると共に、磁石が金属体（磁性体）により覆われた構成を備えている。
【００２０】
図１、図３に示すようにゴルフマーカＡは、円盤状の本体部材１と、この本体部材１の上に被せられる円盤状の蓋部材２と、本体部材１の内部に形成された収容凹部１ａに第１磁石３が収容されている。第１磁石３の取り付けや、蓋部材２の本体部材１に対する取り付けは、接着などにより行なうことができる。また、本体部材１には、蓋部材２を取り付けやすくするために段差部１ｃが設けられている。この段差部１ｃに蓋部材２を嵌合させることができる。また、第１磁石３は、Ｎｄ−Ｆｅ−Ｂ系焼結磁石を用いることで、サイズを小型化しながら要求される磁力を得ることができる。ただし、磁石の種類としては、他の材質のものを使用してもよい。本体部材１は、鉄、ステンレス、などの磁性体により形成することができる。
【００２１】
ゴルフマーカＡの下側は被接触面１ｂであり、その中央部が凸となるような緩やかな曲面に形成されている。これにより、クリップＢの接触面に対して点接触するようにし、所望の保持力を確保するとともに、ゴルフマーカＡの着脱操作を容易にしている。また、ゴルフマーカＡをクリップＢの中央部に安定して保持することができる。特に、曲率半径Ｒの大きさは、１５０ｍｍ〜２５０ｍｍに設定することが好ましく、これにより、上記利点がより顕著なものになる。
【００２２】
蓋部材２も、鉄、ステンレスなどの金属製で形成することができ、表面に彫刻などでデザインをしたり印刷をすることができる。あるいは、蓋部材２を金属と透明樹脂の２部品で構成し、両者の間に写真を挟持させた構成を採用してもよい。
【００２３】
次に、クリップＢの構造を説明する。クリップＢは、第１本体部材１０と第２本体部材１１を重ねており、第２本体部材１２の中央部には収容孔１１ａが形成され、円盤状の第２磁石１２が収容される。第２磁石１２は、第１磁石と同様にＮｄ−Ｆｅ−Ｂ系焼結磁石を用いることで、サイズを小型化しながら要求される磁力を得ることができる。ただし、磁石の種類としては、他の材質のものを使用してもよい。
【００２４】
第２磁石１２は第１磁石３とは磁化の方向が対極になるように配置される。仮に、第１磁石３の被接触面側がＳ極であれば、第２磁石１２の接触面側はＮ極になるようにする。これにより、ゴルフマーカＡをクリップＢに対して強力に保持させることができる。
【００２５】
第２本体部材１１には段差部１１ｂが形成されており、蓋部材１３が被せられる。蓋部材１３は上側に接触面１３ａを有しており、平面に形成される。第１本体部材１０、第２本体部材１１、蓋部材１３は、鉄、ステンレスなどの磁性体により形成することができる。また、これらの各部材は、接着剤などにより結合することができる。第２磁石１２も接着により収容孔１１ａに固定することができる。
【００２６】
第１本体部材１０の下面側にはフック１４が取り付けられており、帽子のひさしなどに挟むことができる。フック１４は、第１本体部材１０の下面に接着などで固定することができるが、第１本体部材１０とフック１４を一体化した部品で形成してもよい。
【００２７】
＜使用態様＞
次に、本発明に係るゴルフマーカセットの使用態様について説明する。ゴルフマーカは、ゴルフ場において、ゴルフボールの代わりに芝生の上に置いて使用するものである。ゴルフマーカＡを使用しないときは、図５に示すように、クリップＢの接触面１３ａにゴルフマーカＡを保持させておく。また、ゴルフマーカＡが上側に来るように、クリップＢを帽子のひさしＣに留めておく。ゴルフマーカＡとクリップＢの両方に磁石が内蔵されているため、強固にゴルフマーカＡを保持させることができ、不用意に脱落することがない。例えば、プレイヤーがプレイ中に走ったとしても、ゴルフマーカＡがクリップＢから容易に脱落しないため、安心して競技に集中することができる。
【００２８】
プレイヤーがゴルフマーカＡを使用するときには、ゴルフマーカＡをクリップＢから手で外して使用する。ゴルフマーカＡの被接触面１ｂは曲面になっているため、ゴルフマーカＡは強固に保持されつつも、取り外しも容易に行なうことができる。ゴルフマーカＡをクリップＢに戻す時には、ゴルフマーカＡをクリップＢに近づけることで、磁力により保持させることができる。
【００２９】
また、ゴルフマーカＡとクリップＢの双方に磁石が内蔵されており、磁力により、所定の位置（クリップＢの中央部）に保持させることができる。従って、例えば、ゴルフマーカＡが不用意に何かに擦れて中央部からずれたとしても、磁力により中央部に戻すことができ、脱落を防止することができる。
【００３０】
＜別実施形態＞
本発明に係るゴルフマーカセットは、帽子のひさし以外の場所に取り付けることができる。例えば、ズボンのベルト、衣服の襟、ポケット、ゴルフシューズの紐通しのへり部に取り付けて使用することができる。
【００３１】
本発明に係る磁石は中央部に孔が空いたリング状に形成してもよい。リング状に形成する場合、中央孔に真鍮や、鉄・ステンレス等の磁性体を内蔵させることが好ましい。
【図面の簡単な説明】
【００３２】
【図１】ゴルフマーカの構成を示す分解斜視図
【図２】ゴルフマーカ用クリップの構成を示す分解斜視図
【図３】クリップとゴルフマーカの構成を示す断面図
【図４】ゴルフマーカをクリップに装着した状態を示す外観斜視図
【図５】ゴルフマーカセットを帽子に取り付けた状態を示す図
【符号の説明】
【００３３】
１        本体部材
１ａ      収容凹部
１ｂ      被接触面
２        蓋部材
３        第１磁石
１０      第１本体部材
１１      第２本体部材
１３      蓋部材
１３ａ    接触面
１４      フック
Ａ        ゴルフマーカ
Ｂ        ゴルフマーカ用クリップ
Ｃ        ひさし
【図１】
2008000439.tif 000003
【図２】
2008000439.tif 000004
【図３】
2008000439.tif 000005
【図４】
2008000439.tif 000006
【図５】
2008000439.tif 000007